(57)【要約】      （修正有）【課題】慣行設備をそのまま使用して、どのような施設に設置しても同形同膜厚の空気層を形成する骨支柱となる二重膜形成チューブダクトとそのチューブダクトを膨縮して随時骨支柱形成消滅を繰り返す農業栽培施設を提供する。【解決手段】骨形成チューブダクト１の両端に適当な長さの係止フイルム２を設けることと両端折幅を狭め中央部を広くする形状にすることで、チューブの膨らみ圧による固定位置での負荷軽減と外張りハウスから落下する結露水処理対策とし、不織布３を設けることで骨形成チューブダクト１内に溜まる結露水の溜まりを未然に防ぎ、骨形成チューブダクト１の被覆位置決め確定をすることでいかなる設置場面に設置しても安定した同厚高の空気層を形成し保温性能維持と景観を図る。【選択図】図４
2013162780.tif 000002
【特許請求の範囲】
【請求項１】
適当な肉厚の適当な耐候剤を適量混入したものもある適当な合成樹脂製の適当な位置にチューブ内面から外面に貫通した適当な合成樹脂製の送風口と少なくとも送風口より広口径の排気口と適当な不織布を適当に固着又は後着したものもあり、左右両端のいずれか又は両端が溶着又は適当に密閉した形状であってその両端末長手方向延長上には単厚合成樹脂製フイルムが適当な長さ設けてある両端幅が狭く中央部が適当に幅広形状の二重膜骨形成チューブダクト。
【請求項２】
請求項１記載の二重膜骨形成チューブダクトは、農業用ハウスの外張り支柱又は内張り支柱又は適当に動くものもある金属ワイヤー又は合成樹脂製ロープ上に被覆した二重膜下面農業用フイルムの長手方向真直上１．２から５メートル間隔に設ける形態を特長とする。
【請求項３】
請求項２記載要領で設置した請求項１記載の二重膜骨形成チューブダクトは直接又は送風口を通じて適当な金属製又は合成樹脂製の給排気管に貫通直結した形態で、その延長はは適当な送風機と直結しており、給排気管の適当な位置に適当な通気方向変換弁付分岐管で分岐した給排気管に適当な吸引機を設け、送風排気を同一給排気管で行う構成又は排気口に給排気管の断面積より適当に広断面積を有すものもある適当な開閉蓋付排気管又は電磁弁付排気管を設け送風排気を分離した構成で行うものもある骨チューブの膨縮で随時骨支柱を自在形成する装置。
【請求項４】
請求項１記載の骨形成チューブダクトを請求項２記載の形態で被覆し、請求項３記載の機構で被覆した上に請求項１記載の骨形成チューブダクトと二重膜上面農業用フイルムを重ねて被覆し、上下に空気層を形成する構成を特長とする三重二膜層形成形態フイルム。
【発明の詳細な説明】
【技術分野】
【０００１】この発明は農業栽培施設の室温調節装置に関するものである。
【背景技術】
【０００２】  近年栽培作物の周年流通を目指し、冬季の栽培環境を克服する対策として化石燃料使用の暖房を用いた栽培が広く行われるようになったが、化石燃料使用による炭酸ガスの発生削減と化石燃料の高騰から化石燃料使用の削減技術が求められ、暖房効率のよい資材の開発が進められてきた。その中で栽培作物への影響を最小限にする対策として、空気層を有す透明フイルムを用いた農業用フイルム二重被覆空気膜が各種考案されてきたが、二重固定被覆による透過光線の低下と空気膜形成による結露水処理と保温性能のバラツキと膜内空気の短時間排気ができないためにおこる室温調節課題があり実用化を阻んできた。【０００３】  天窓換気設備や肩上巻上げ換気設備を有す農業用ハウスでは、外張り二重被覆空気膜形成による二重膜固定による溝形成で、雪や雨水の溜まりによる栽培施設の安全性への不安とタイムリーな開閉換気での室温調節ができない課題があった。【０００４】  内張り二重空気膜形成場面では、内張り二重空気膜フイルムの短時間での開閉と高保温性の両立と結露水処理が必要不可欠であり、過去開発された方法では以下の課題があった。特許公開平８−１５１８２６の空気膜内張りカーテンフイルムでは、膜厚調節のために暖かい膜内空気を膜外排気して一定厚高の空気層形成をしていたので、膜外排気による暖温流亡と空気層内への冷たい空気の流入による保温性低下があり、上下二重被覆しただけの空気層形成条件との比較では夜間平均室温が０．３から１度低く推移する傾向があり、暖房節油率比較では１０から３０パーセント低くなる保温性能課題があった。空気層形成を図るには、送風断面積より小さな空気抜きの穴でなければ空気層形成はできないので、この方式では膜内空気排気口が小さく、時間当たりの排気量が少ないため、排気に長時間かかる問題があった。
チューブダクトサンドイッチによる空気層形成方式での内張り使用場面では、広いハウス内に二枚重ねのフイルムを被覆するには重くて作業効率が悪いことと、平張り方式に使用すると外張り屋根面より落ちる結露水が平らに膨らんだ二重膜フイルム上に溜まり、開閉装置が正常に動かなくなることと、チューブダクトの膨らみ圧で巻き上げ開閉用パイプがチューブダクトの膨らみ厚半分の位置まで持ち上がり、巻き上げパイプを取り付けた側端空気層形成面と重ね合わせする面とに隙間が生じ、保温性低下が起こる課題があった。また、チューブの膨らみが二枚重ねフイルムを上下に押し開いて空気層を形成するため、内面フイルムが下面に断面半円形状に押し下げられ、そのため、内面フイルムに付着した結露水がチューブダクトの膨らみ最下点に溜まり、開閉時ボタ落ちする課題とチューブダクトの設置間隔が２メートル以上になると空気層形成上面被覆フイルムの重みで、チューブダクトとチューブダクトの中間が垂れ下がり、チューブダクトの膨らみ厚に比べて極めて低くなる場面や上下面フイルムが接触する場面が増えて均一な厚みの空気層維持が不安定になり、被覆内全体バラツキのない保温性有す特長が消滅する問題があった。更に栽培作物に灌水直後のハウス内空気を送風するとチューブダクト内に結露水が溜まり易くなり、溜まった結露水の重みでカーテン開閉装置が正常な開閉ができなくなる問題も発生した。
内張り二重膜流水カーテン方式では、チューブダクトの端末に取り付けた巻き上げパイプがチューブダクトの膨らみ圧でチューブタクト膨らみ厚の半分程度の高さまで持ち上がり、流水した地下水が巻き上げ開閉パイプ取り付け位置で膜内尻に溜まり、巻き上げ開閉加重が重くなり、巻き上げ圧により内張りフイルム両側端面に流れ出し、日々の開閉に支障を起こす問題と、内張り支柱と支柱の中間に設置したチューブダクトの膨らみ圧で二重膜形成下面フイルムが円弧状にへこみ、このへこみに流水が集まって流れる場面が多く発生し下面フイルム上を流水する面積の減少が起こり被覆内の保温性ムラと保温性低下問題が発生した。
【先行技術文献】
【０００５】
【特許文献１】特許公開平８−１５１８２６
【特許文献２】特許公開平９−１２５０２６
【特許文献３】特許公開２０１１−１８２７６７
【発明が解決しようとする課題】
【０００６】  本発明は、慣行設備をそのまま使用して、どのような施設に設置しても同形同膜厚の空気層を形成する骨支柱となる二重膜形成チューブダクトとそのチューブダクトを膨縮して随時骨支柱形成消滅を繰り返す機構を提案し、短時間低負荷で二重膜形成開閉ができ、化石燃料使用量を３０パーセント以上削減する農業栽培施設を提供するものである。
【課題を解決するための手段】
【０００７】    以上の課題を解決するために、第一の発明は、骨形成チューブダクト（以下骨チューブと略称）の形状発明である。適当な肉厚の適当な耐候剤を適量混入したものもある適当な合成樹脂製の適当な位置にチューブ内面から外面に貫通した適当な合成樹脂製の送風口とそれより適当に広口径の排気口と適当な不織布を適当に固着又は後着したものもある左右両端のいずれか又は両端が溶着又は適当に密閉した形状であってその両端末長手方向延長上には単厚合成樹脂製フイルムを適当な長さ設けた両端幅が狭く中央部が適当に幅広の二重膜骨形成チューブダクトを提供する。骨チューブの両端末長手方向延長上に単厚合成樹脂製フイルムを適当な長さ設けた両端幅が狭く中央部が幅広形状にすると以下の課題が解決できる。骨チューブが膨らむとその断面が折幅の二倍の円周を有す円になり、両端面固定位置が円の半径の高さになり、骨チューブへの送風圧が高い程チューブ固定位置にかかる負荷が大きくなり強化した固定具が必要になる問題や骨チューブ端面折幅が小さいと円の半径も低くなり、その低くなった先端に適当な長さの単厚フイルムを設けると骨チューブを上下に挟んで設けた適当な二重膜構成フイルムへの固定負荷がチューブ形態での固定に比べて非常に小さくなり、強く固定するために生じる固定具によって起こる骨チューブフイルムの薄化又は小さい傷のチューブの膨らみ圧により常時生じる引っ張り圧による破れ孔の拡大による骨チューブ内の空気漏れ発生問題が解決でき、更に骨チューブ設置位置調節が容易で便利である。チューブ面を直接巻き上げパイプに取り付けるとその膨らみで、最大骨チューブの膨らみ厚の半分まで巻き上げパイプが持ち上がり、その結果骨チューブ二重膜形成による側端面に隙間ができ被覆二重膜内の暖かい空気が膜外に流出して保温性が低下する課題があったが、骨チューブ端末の膨らみ厚が小さくその先端に単厚フイルムが取り付けてあると、巻き上げパイプ固定場面でのフイルム重なり部分が単純な三枚重ね状態となり、持ち上がらなくなり二重膜形成による保温性低下問題が解決できる。両端の折幅が狭く、長手方向中央を広くした形状にしているので骨チューブが膨らむとその断面が山形形状の骨形成ができる。この結果、ハウスの屋根内面から落下する結露水が両端裾に流れ落ち、作物を栽培していない膜外や通路に落下して結露水落下による栽培作物への害を及ぼすことなく、二重膜上面フイルム上に溜まらなくなり、結露水が溜まることを起因とする内張りカーテン開閉蛇行や結露水の重みによる空気膜層の欠落や装置の開閉停止等の課題が解決でき使用安全信頼性の高い二重膜になる。この骨チューブを用いると膨らみ端末から緩やかな傾斜を有す膨らみ形成ができ、内張り被覆場面では、上下被覆フイルムの長手方向両端裾固定を適当な間隔固定であっても骨チューブ直接固定のような膨らみ高負荷がかからないのでフイルム端面の重なりがその重みで容易に形成でき、隙間の少ない保温性の高い二重膜内空気移動の小さい空間を形成するのでより安定した保温性向上が図れ好ましい。骨チューブの上下に被覆する二重膜フイルムは、保温性能の高いフイルムを被覆したもの程暖房燃料節約が高なる傾向が強く、被覆フイルムとしては好適で��る。外張り天窓換気設置ハウスの二重膜固定場面に使用すると、同折幅の骨チューブを用いた方式や二枚重ねフイルムの中間に空気を送風する方式を使用すると、天窓換気装置が上下する側端位置下に被覆した空気膜の膨らみで深い被覆溝ができ、雪や雨がこの位置に溜まり、開閉によるハウス内落下の問題があったが、溝形成も慣行フイルム並になり傾斜適当に緩く長いので雨や雪が裾面に流れ安全使用課題が解決できる。谷面及び側面巻上げ換気場面に用いると空気層形成が端面から緩傾斜になるので、雪や雨が骨チューブ固定位置で溜まることがなく、慣行並みの設備提供ができる。更に、妻面両端部被覆している下面固定重ね代フイルムの上に骨チューブを設けた二重膜フイルムを被覆しその上に適当な農ＰＯフイルムを補強ネット代わりに被覆すれば、チューブの膨らみでハウス内に隙間風が入らなくなり、一重被覆より機密性が高く強風に耐える施設を提供でき、慣行設備以上の安全性を有す設備を提供することができる。被覆骨チューブは被覆フイルムと同等の耐候剤が混入されていれば、被覆フイルム交換時に同時交換の対応でよく、二重膜使用途中交換の必要がなく、現在４シーズン継続使用の実績があり、長期安全使用に適しており望ましい。傾斜のある内張りカーテン使用場面では低傾斜位置に結露水が溜まることがあり、骨チューブ内から膜外に貫通した不織布を設けておくとその毛管水で膜外に排出でき事前に設置していれば未然に結露水の溜まりを防ぐことができる。特に送風口に取り付けた給排気管の周囲に不織布を設けると、給排気管内に逆流する結露水が膜外に流出するので、送風機をいためることがなく、結露水が溜まることによって起こる慣行開閉装置の故障課題も解決でき望ましい。
【０００８】  第二の発明は骨チューブの取り付け位置に関する。農業用ハウスの外張り又は内張り支柱又はスライド移動する金属ワイヤー又は合成樹脂製ロープ上に被覆した二重膜下面農業フイルムの上面真直上に、使用場面の状況に応じて１．２から５メートル間隔に設ける構成を提供した。この構成にすると以下の課題が解決できる。
支柱上に骨チューブを設けると、膨らんだ骨チューブは底面が硬い支柱上に載った状態にになり、骨チューブの膨らみでの骨チューブの適度な長さ縮みによって長手方向への引っ張り強度が増した状態になり、横ずれしにくい形態での支柱上存在となり、支柱上に断面山形形状形成した骨チューブになり、下面に被覆した二重膜フイルムを骨チューブの膨らみ圧で円弧形に押し下げることなく、支柱の形状と同形状になり、支柱と支柱の中間に位置する場面に起こる骨チューブの膨らみ圧での二重膜構成下面フイルムが円弧状に支柱内側に低くなる課題が解決できる。この結果、空気層厚が設置場所による下面高さ不揃い課題と低くなった下面フイルム内面を伝って流れる結露水の低位集中による問題も解決できる。骨チューブの設置間隔を外張り場面では２から５メートルで取り付けると被覆フイルムの四方を強く引っ張って固定被覆するので、上面フイルムフイルムが弛まずに被覆できハウスの骨支柱に沿った骨チューブの膨らみ厚を有す二重被覆空気膜が形成でき２から５メートル間隔での被覆で、ハウスの骨支柱傾斜に沿った形態の二重被覆空気膜を作ることができるので見た目の安心性が高く、ハウス設計強度を大きく逸脱しない安全性の高い被覆を提供できる。内張り場面では１．２から２メートルの間隔に骨チューブを設置すると二重膜上面フイルムの骨チューブと骨チューブの中間がフイルムの自重によるたるみ下がり少なく、空気膜層の高さ保形ができ、安定した空気層が確保できるので、各種形態の異なるハウスで二重膜を作っても同厚高同形の空気層を有す二重膜が形成でき美観を備え、便利であり、空気膜層へこみによる保温性能低下課題と結露水溜り課題が解決できる。
【０００９】  第三の発明は骨チューブの膨縮構成に関する。第二発明記載要領で設置した第一発明記載の骨チューブは直接又は送風口を通じて適当な金属製又は合成樹脂製の給排気管に貫通直結し形態で、その延長は適当な送風機に直結しており、給排気管の適当な位置に設けた適当な通気方向変換弁付分岐管で分岐した給排気管に適当な吸引機を設け送風排気を同一給排気管で行う構成、又は排気口に給排気管の断面積より適当に広断面積を有す適当な開閉蓋付排気管又は電磁弁付排気管を設け送風排気を分離した構成もある骨チューブの膨縮で随時骨支柱を自在形成する構成を提供し以下の課題を解決する。
給排気管を骨チューブに直接又は送風口を通して貫通して設けると、給排気管を通しての送風が送風口の通風断面積不足による送風抵抗増加を起こすことなく骨チューブに送風できるので骨チューブの設計内圧低下や膨らみに要す時間増の問題が解決できる。骨チューブは送風機と吸引機が給排気管を通じて連結しているので、給排気管に設けた通気方向変換弁の切り替えで送風と排気が同一の給排気管で、通気空気が周りにもれることなく効率よく、送風機、吸引機の性能通り随時発揮できる効用があり、単純計算した時間での膨らみと単純計算した排気が実現でき、慣行の自動開閉機に連動した構成課題が解決できる。給排気管は収縮に耐え、送風、排気ロスの少ない蛇腹形状管又は自在に曲がる適当な金属管を設置するのが望ましい。
次に排気口に送風口の断面積より適当に広断面積の電動開閉蓋付排気管又は電磁弁付排気管を骨チューブの排気口に設けると、骨チューブに送風した空気が排気時、送風した時間より短時間で排気でき、排気時間短縮課題を解決できる。送風時は電動開閉蓋付排気管の蓋を閉じておくと骨チューブが膨らみ、空気層を構成する骨形成を行い、送風停止時電動開閉蓋付排気管の蓋又は電磁弁付の排気管を開口すると適当数設けた排気管の蓋が一気に開き排気開始を行うので、給排気管と同断面積の排気管を用いれば、ひとつの骨チューブに送風した時間で排気でき、断面積が大きくなればその比率に応じて排気時間は短縮でき、国内の慣行仕様のハウスであれば計算上３分以内に自然排気でき、慣行自動開閉装置にも手動開閉装置のいずれにも対応できる開閉二重膜課題が解決できる。特に巻上げ開閉に用いれば送風停止で瞬時に骨チューブ内空気が排出でき、慣行フイルムと遜色ない負荷での開閉が実現できる。
【００１０】  第四の発明は、骨チューブ二重膜の高性能化に関する。第一、第二、第三の発明で提供した骨チューブ二重膜フイルムの上に骨チューブと農業用フイルムを重ねて三重被覆する構成を提供すると以下の課題が解決できる。
外張り二重被覆空気膜被覆よる全被覆期間全光線透過が下がる課題、例えば９０パーント透過するフイルムを二重被覆すると８１パーセントに透過率が低下する。この課題は外張り二重被覆では、１００パーセント近い光線透過率を有すフイルムの二重被覆で埃や煤煙の付着が起こらない条件がないと解決しない程難しい。この課題解決には、外張りは慣行一重被覆で、内張りを三重膜にし、空気層を上下にダブル設けた構成にすると外張り二重膜、内張り二重膜に匹敵する空気層構成ができ、上下に接触したダブル空気層構成になるので層内熱移動が極めて小さく、光を透し慣行一重被覆カーテンの半分程度の暖房節油効果を有す開閉できる内張りカーテンを提供できる。この三重膜構成は、暖房油節約フイルムとしては現時点で最も高保温性能の慣行一重被覆より夜間室温を３度強高く保持する性能の空気膜フイルムで、慣行外張り一重被覆に使用して内外二重被覆並みの性能を有す空気膜提供ができ、外張り二重被覆による光線透過低下課題を解決しての高暖房節油施設の提供ができる。
【００１１】  以上解決した骨チューブを用いると特許公開２０１１−１８２７６７流水二重膜カーテンの骨チューブの膨らみによる下面フイルムの押し下がりへこみ位置への流水集中によるフイルム表面水膜濡れ面積減少による保温性能低下課題と流水排水端末の流水貯まり課題が解決でき、併用すれば特に望ましい。
【実施例】
【００１２】  図１の骨チューブの形状を参照にして、以下実施例を説明する。
両端に長さ２０センチの骨チューブ係止フイルムを溶着した、両端面の折幅が１５センチの中央部に向けて５０センチ中央寄りに折幅４５センチで全長４メートルの底面が平らの台形形状の骨チューブと片端に長さ２０センチもう一方の片端に５０センチの係止フイルムを溶着した両端面の折幅が１５センチの中央部向けて１５０センチ中央寄りに折幅５０センチで全長４メートルの底面が平らの山頂５０センチの山形形骨チューブを試作し、折幅４０センチで全長４．４メートルのチューブダクトと骨チューブを各々３本準備し、１メートルの高さに農業用パイプを組んで比較実験を行った。骨チューブに送風する送風機は、１分間あたりの最大風量２．２立方メートル、最大静圧３２０パスカルを用いた。この送風機に４０ミリの塩ビ管を直結して設け、その先端を各々の骨チューブに差込膨らみ形状を目視した。この結果、台形状の骨チューブは横から見ると最大の高さ２８．５センチの底面が平らで全長４．３５メートルの両端長さ５０センチの傾斜を持つ台形形状になり、膨らみの影響で底辺長が５センチ短くなった。山形形骨チューブは山頂の長さ１００センチ高さ３１．５センチで両裾に向かって１．７メートルと２メートルの長さを有す全長４．６５メートルの山形形状になり、膨らみで底面長が５センチ短くなった。チューブ形状では、高さ２５．５センチ、長さ３．８５メートルの中央断面楕円形状になり、膨らむことにより１４．５センチ短くなった。各骨チューブの上下に７５ミクロン厚の農ＰＯフイルムを被覆して両端をパッカーで５０センチピッチに固定し、各骨チューブを１．５、１．８、２、２．５、３メートル間隔に設置し、骨チューブに空気を送風して空気層形成状態を調査した結果、２メートル以下であれば、上面被覆フイルムの重みでの垂れ下がりは、最大５センチ程度で空気層形成ができ、２メートル以上では、上下フイルムが接触して空気層形成ができない場面がいくらか見られたので、設置間隔の上限を２メートルとした。骨チューブの設置間隔は短いほど垂れ下がりが少ない傾向が見られ、設置間隔が１．５メートル以下であればほとんど低下しない結果であった。又この場面で骨チューブを設置した下にロープと支柱に使用する１９ミリ径の鉄パイプを設けた結果、いずれの骨チューブもロープ又は支柱より膨らんだ骨チューブが低位置にならず、空気層の高さ形成が膨らみ厚になった。折幅４０センチの骨チューブを設置した場面のみが、上下面被覆フイルムが強く引っ張られ、パッカー止め位置で隙間ができる場面と強く引っ張られるために膨らみ全体が低くなり上面フイルムが骨チューブに巻きつくようになり空気層容積が小さくなった。台形及び山形形状の骨チューブでは、幅面には適度な引っ張り圧が二重膜フイルムにかかり、骨チューブに適度な密着をし、膨らみ厚に影響を与えない程度の状態ができたので、膨らみで形成できる空気層がフイルムを被覆した状態でできることが確認できた。下面フイルムは骨チューブの下に設けたロープや支柱に使用する１９ミリ径の鉄パイプ押し下げることなくロープや支柱上に存在するので、骨チューブの膨らみで起こる下面フイルムの骨チューブに沿った円弧状の押し下がりがなくなるので、下面フイルムに内面結露水の集合要因除去課題は解決できるものとした。山形形状にした二重膜にその上より灌水チューブで灌水し、水の溜まり具合を観察した結果、上面フイルムよりすべて流れ落ちることが確認でき、平張り被覆した二重膜での結露水溜まり問題は解決できることが実験上確認できた。【００１３】  図２のパイプハウス内張りカーテン使用場面断面図を参照にして、以下実施例を説明する。７５ミクロン厚の農ＰＯフイルム製の両端面に不織布を挟んで溶着した折幅２０センチで、両端末より５０センチ中央寄りに折幅４５センチを有す全長８．４メートルの骨チューブで、その両端末に７５ミクロン厚の農ＰＯフイルムで幅２０センチ長さ２５センチの係止フイルムを設け、骨チューブの中央位置にチューブ内面に貫通した折径１０センチのチューブ形状の送風口と折径１５センチのチューブ形状の排気口を設けた骨チューブを試作し、農業用パイプハウス内の内張りカーテン支柱の中央をパッカー固定して被覆している二重膜下面フイルムの上１．５メートル間隔に、骨チューブの中央が接触するように内張り支柱上に被覆し、その上に二重膜上面フイルムを被覆した。内張りカーテン支柱の中央位置には先端に送風機が直結している合成樹脂製の蛇腹ホースを１．５メートル間隔にチーズで連結してハウスの長さ設けた。送風口にはチーズに設けた３０ミリ径の給排気支管を貫通して骨チューブに取り付けた。送風口位置と排気口位置下の下面フイルムに小孔をあけ、送風口と排気口を内張りカーテン内に取り出し、送風口は３０ミリ径の給排気支管を骨チューブ内面まで貫通して固定し、排気口は、内張りカーテンの長さ設けた電磁弁を電気コードで連結した電磁弁付６０ミリ径の排気管を骨チューブ内面まで貫通直結して固定した。両側端面は、中央にサンドイッチした骨チューブ係止フイルムと上下に二重膜フイルムを三枚重ねて２２ミリ径の巻上げパイプにパッカーで固定した。以上の要領で設置した長さ２７メートルの内張りカーテンに１分間に２．６立方メートルの送風量を有す送風機を用いて送風すると約５分で骨チューブが平均空気層厚２５センチ程度の膨らみを持つ二重膜ができた。この空気層形成空気は妻面二重膜被覆位置の隙間からと巻上げパイプのパッカー固定していない位置からの空気進入によりおこるものと推定された。送風停止時、電磁弁付弁を開放すると、主に排気管と送風機から瞬時に排気を開始し約１５秒で排気が終了した。巻上げを排気と同時に開始するとその圧力で骨チューブ内の空気が一気に排出できた。排気口を大きくするほど巻上げ負荷は小さく早く排気できる傾向であった。また排気開始後１分程度待ってから排気すると、骨チューブの内空気が大半排気した後なので、巻上げ負荷は一重並みの負荷で排気できることが実証できた。この骨チューブに水５０ＣＣを入れた条件を作った結果、１時間で排水処理が解決できたので、不織布を設けるとアーチ形状の巻上げ方法では結露水問題は解決できる可能性が高いことが確認でき、安全使用に適していると結論した。【００１４】  図３のハウス谷面巻上げ開閉二重膜設置場面断面図を参照にして、以下その実施例を説明する。７５ミクロン厚の農ＰＯフイルム製の片端面に不織布を挟んで溶着し、一方の片端面は溶着のみの折幅２０��ンチで、両端末より５０センチ中央寄りに折幅５０センチを有す全長１．５メートルの骨チューブで、その両端末に７５ミクロン厚の農ＰＯフイルムで幅２０センチ長さ２０センチの係止フイルムを設け、端面溶着のみの骨チューブの端末面周辺にチューブ内面に貫通した折径１０センチの送風口を設けた上面使用形態の骨チューブを試作した。この骨チューブを図３断面図の要領で、二重膜下面フイルムを被覆した上に１．５メートル間隔で骨チューブの中央をハウス支柱の上に接するように設けて被覆し、その上に二重膜上面フイルムを被覆し、上面は二重膜フイルムの中間に骨チューブの送風口が設けてある係止フイルムをスプリング填め込みフイルム固定具で固定し、下面は三枚重ねて巻上げパイプにパッカー固定して被覆した。骨チューブの送風口は二重膜下面に小孔をあけて、送風口チューブ取り出し、チーズ分岐した給排気管の蛇腹ホースを貫通して固定した。給排気管は１．５メートメル間隔にチーズを設けて谷換気の長さ延長した蛇腹ホースを設けた。給排気管の蛇腹ホースには通気変換弁付分岐管で分岐した蛇腹ホースで直結した各々１分間に最大２．２立方メートルの送風性能の送風機と１分間に最大０．８立方メートル吸気する性能の掃除機を設け、１０メートルのハウス２棟を用いて実証試験を行った。
その結果、およそ２分の送風で二重膜が形成できた。送風停止後、通気分岐変換弁の通気方向を変えて、掃除機を用いると骨チューブの空気が約８分で吸引でき、二枚重ね状態になり、慣行一重並みの巻上げ開閉に支障のない状態になった。両妻面位置に従来ネットを被覆しての風対策する方法を撤廃して、両妻面に固定張りしてある重ね代フイルム上に骨チューブを上下に挟んだ二重膜を設けた上に１５０ミクロン厚のシングルフイルムを上下にスプリング填め込みフイルム固定具で固定し取り付けると、骨チューブの膨らみで、ハウス妻面からの隙間風が入らなくなり、保温性の低下要因の改良とフイルムのバタツキ防止用の紐が骨チューブの膨らみで張りが強くなり、耐風性が向上する結果になった。【００１５】  図４の内張り平張りスライドカーテン設置断面図を参照にして、以下その実施事例を説明する。７５ミクロン厚の農ＰＯで最大折幅５０センチ長手方向両端幅１５センチ長さ２メートルの骨チューブダクトの片端が開口したままで、７５ミクロン厚の農ＰＯ幅１５センチ長さ２０センチの骨チューブ係止フイルムを熱溶着して設け、もう一方の端面は７５ミクロン厚の農ＰＯ幅１５センチ長さ５０センチの係止フイルムと熱溶着した形態で骨チューブ内に貫通した幅１０センチの不織布を表面熱溶着して固着した平張りスライドカーテン用骨チューブを試作し、平張りスライド形式手動カーテンの開閉移動ロープ上（図２の断面図参照）に二重膜下面農業用フイルムを被覆し、その上に試作した骨チューブを下面フイルムの幅方向に被覆し、農業用ハウス内張りカーテンの長手方向両端１．５メートル間隔に設けた蛇腹形状の給排気管をチーズで連結し、そのチーズに塩ビ管を給排気支管として設け、その塩ビ管を骨チューブの開口部に直接差し込み開口部を粘着テープと電材結束具で密閉固着した。その上に上面農業フイルムを被覆し、内張りカーテンの両サイドにあるフイルム固定位置に、下面フイルムと係止フイルムと上面フイルムを三枚重ねて固定した。もう一方の側面は左右のフイルムが開閉スライドロープ上に各々三枚重なる形で被覆してあり、ハウス中央で左右のフイルムが４５センチ重なるようにスライドロープに固定した。蛇腹形状の給排気管の延長上には直結した通気変換弁付分岐管があり、その器具で分岐した蛇腹ホースに送風機と掃除機が各々直結してある。その送風機の送風を開始して骨チューブに送風すると中央の重なり部分は中央より両端面に向かって緩やかに傾斜して重なり、特に上面重なりする二重膜のロープ固定位置と下面重なりする二重膜の重なり位置は骨チューブの端末溶着位置付近になり、二重膜傾斜では山裾だが、骨チューブ係止フイルムよりは少し高い位置にあるので、二重膜上面フイルムに落下する結露水はその重なり位置の傾斜を伝ってハウス内面の中央位置に落下する。両側面フイルム固定位置は、山裾になるので結露水は内張り膜外に落下し、二重膜上面フイルムフイルム上に残らないことを確認した。内張り中央部の重なりは適当な長さあり、二重膜フイルムが最も緩傾斜の位置で交差しているので緩密閉度合いが高く、この隙間による保温性低下になる要因は小さいものと考えられ、慣行一重被覆よりも重なり密閉度が高い形態になることも確認で���た。９０平方メートルのハウスで実証した結果、１台の送風機を用い５０秒で空気層形成をし、１台の掃除機１分稼動で二枚重ね状態になることを確認した。この結果、単純計算で二重膜形成二枚重ね形成が繰り返しおこなえることを確認し、短時間での実用開閉には、高性能の送風機、吸引機を適当数設ければ、自動化対応できることが推測できた。【００１６】  図５の骨チューブ三重膜フイルム二空気層形成場面を参照にして、以下説明する。
両端末に幅２０センチ長さ２０センチの係止フイルムが設けてあり、端末が溶着してある折幅２０センチのチューブ位置から５０センチ長手方向に折幅４５センチに広がる傾斜を左右に有し、中央部は折幅４５センチのチューブ形状で、その中央位置にチューブ内面に貫通した送風口を設けた骨チューブと両端末に幅２０センチ長さ３０センチの係止フイルム設けた骨チューブを二種類、幅が内張りカーテンの内張りカーテンの支柱の長さでその幅が各々２０センチづつ異なり、内張りのカーテンの長さある３枚の農ＰＯフイルム、送風機１台、吸引機１台、給排気管としての蛇腹ホース、巻き上げパイプ、巻き上げ開閉器具、給排気管を分岐するチーズ、フイルムを固定するパッカー、通気方向変換弁付分岐管を準備して、長さ１０．５メートルの７５センチ間隔に内張りカーテン支柱を設けた施設で実証をおこなった。先ず、一番幅の狭い農業用フイルムを内張り支柱の長手方向中央支柱にパッカー固定し、その上に長さ２０センチの係止フイルム付の骨チューブを内張りカーテン支柱上に重なるように被覆し、その上に２番目に幅が広い農業用フイルムを被覆し、その上に３０センチの係止フイルム付の骨チューブを２０センチの係止フイルム付骨チューブの真上に重ねて被覆し、その上に一番幅が広い農業用フイルムを被覆し、側面裾に設けた農業用巻上げパイプに骨チューブを設けている場所は５枚重ねてパッカー固定し、その他の場所は３枚重ねてパッカー固定する。送風機、吸引機は図６の要領で、各々蛇腹ホースに直結しており、その先端は通気変換弁付分岐管と直結しており、その分岐管は、１．５メートル間隔にチーズで内張りカーテンの長さ連結した蛇腹ホースと直結しており、チーズの先端に設けた蛇腹ホースは下面フイルムのみ又は中面フイルムと両方に穴を開けて骨チューブの送風口を通して貫通して設け、送風機、吸引機が蛇腹ホースで繋がる構成にして、１分間に２．２立方メートル最大送風量の送風機で送風すると、長さ１０メートル膜層厚５６センチの三重二膜積層が５分で形成できた。送風を停止し、１分間に１立方メートルの性能を有す吸引機に切り替え吸引を開始すると、約１１分で、三枚被覆農業用フイルムが三枚重ね状態になり一重被覆より重いが、手動の巻き上げ開閉できる程度の開閉ができることを実証した。保温性能は夜間平均室温が無加温条件で３度程度高くなる傾向であった。
【符号の説明】
【００１７】１．中央幅広骨チューブ
２．骨チューブ係止フイルム
３．不織布
４．溶着面
５．送風口
６．支柱
７．排気口
８．開閉蓋付排気管
９．二重膜外張りフイルム
１０．二重膜内張りフイルム
１１．送風機
１２．吸引機
１３．給排気管
１４．給排気支管
１５．灌水チューブ
１６．送水管
１７．通気方向変換弁
１８．巻き上げ開閉パイプ
１９．巻き上げ開閉器具
２０．流水排水溝
２１．スライド開閉具
２２．骨チューブ通気直接取付け開口部
２３．フイルムパッカー
２４．フイルム固定スプリング
２５．スプグング填め込み固定具
２６．スライド移動ワイヤー
２７．スライド移動ワイヤー二重膜フイルム固定具
【図１】
2013162780.tif 000003
2013162780.tif 000004
【図２】
2013162780.tif 000005
【図３】
2013162780.tif 000006
【図４】
2013162780.tif 000007
【図５】
2013162780.tif 000008
【手続補正書】
【提出日】平成24年4月17日(2012.4.17)
【手続補正１】
【補正対象書類名】明細書
【補正対象項目名】全文
【補正方法】変更
【補正の内容】
【発明の詳細な説明】
【技術分野】
【０００１】この発明は農業栽培施設の室温調節装置に関するものである。
【背景技術】
【０００２】  近年栽培作物の周年流通を目指し、冬季の栽培環境を克服する対策として化石燃料使用の暖房を用いた栽培が広く行われるようになったが、化石燃料使用による炭酸ガスの発生削減と化石燃料の高騰から化石燃料使用の削減技術が求められ、暖房効率のよい資材の開発が進められてきた。その中で栽培作物への影響を最小限にする対策として、空気層を有す透明フイルムを用いた農業用フイルム二重被覆空気膜が各種考案されてきたが、二重固定被覆による透過光線の低下と空気膜形成による結露水処理と保温性能のバラツキと膜内空気の短時間排気ができないためにおこる室温調節課題があり実用化を阻んできた。【０００３】  天窓換気設備や肩上巻上げ換気設備を有す農業用ハウスでは、外張り二重被覆空気膜形成による二重膜固定による溝形成で、雪や雨水の溜まりによる栽培施設の安全性への不安とタイムリーな開閉換気での室温調節ができない課題があった。【０００４】  内張り二重空気膜形成場面では、内張り二重空気膜フイルムの短時間での開閉と高保温性の両立と結露水処理が必要不可欠であり、過去開発された方法では以下の課題があった。特許公開平８−１５１８２６の空気膜内張りカーテンフイルムでは、膜厚調節のために暖かい膜内空気を膜外排気して一定厚高の空気層形成をしていたので、膜外排気による暖温流亡と空気層内への冷たい空気の流入による保温性低下があり、上下二重被覆しただけの空気層形成条件との比較では夜間平均室温が０．３から１度低く推移する傾向があり、暖房節油率比較では１０から３０パーセント低くなる保温性能課題があった。空気層形成を図るには、送風断面積より小さな空気抜きの穴でなければ空気層形成はできないので、この方式では膜内空気排気口が小さく、時間当たりの排気量が少ないため、排気に長時間かかる問題があった。
チューブダクトサンドイッチによる空気層形成方式での内張り使用場面では、広いハウス内に二枚重ねのフイルムを被覆するには重くて作業効率が悪いことと、平張り方式に使用すると外張り屋根面より落ちる結露水が平らに膨らんだ二重膜フイルム上に溜まり、開閉装置が正常に動かなくなることと、チューブダクトの膨らみ圧で巻き上げ開閉用パイプがチューブダクトの膨らみ厚半分の位置まで持ち上がり、巻き上げパイプを取り付けた側端空気層形成面と重ね合わせする面とに隙間が生じ、保温性低下が起こる課題があった。また、チューブの膨らみが二枚重ねフイルムを上下に押し開いて空気層を形成するため、内面フイルムが下面に断面半円形状に押し下げられ、そのため、内面フイルムに付着した結露水がチューブダクトの膨らみ最下点に溜まり、開閉時ボタ落ちする課題とチューブダクトの設置間隔が２メートル以上になると空気層形成上面被覆フイルムの重みで、チューブダクトとチューブダクトの中間が垂れ下がり、チューブダクトの膨らみ厚に比べて極めて低くなる場面や上下面フイルムが接触する場面が増えて均一な厚みの空気層維持が不安定になり、被覆内全体バラツキのない保温性有す特長が消滅する問題があった。更に栽培作物に灌水直後のハウス内空気を送風するとチューブダクト内に結露水が溜まり易くなり、溜まった結露水の重みでカーテン開閉装置が正常な開閉ができなくなる問題も発生した。
内張り二重膜流水カーテン方式では、チューブダクトの端末に取り付けた巻き上げパイプがチューブダクトの膨らみ圧でチューブタクト膨らみ厚の半分程度の高さまで持ち上がり、流水した地下水が巻き上げ開閉パイプ取り付け位置で膜内尻に溜まり、巻き上げ開閉加重が重くなり、巻き上げ圧により内張りフイルム両側端面に流れ出し、日々の開閉に支障を起こす問題と、内張り支柱と支柱の中間に設置したチューブダクトの膨らみ圧で二重膜形成下面フイルムが円弧状にへこみ、このへこみに流水が集まって流れる場面が多く発生し下面フイルム上を流水する面積の減少が起こり被覆内の保温性ムラと保温性低下問題が発生した。
【参考特許文献】
【０００５】
【特許文献１】特許公開平８−１５１８２６
【特許文献２】特許公開平９−１２５０２６
【特許文献３】特許公開２０１１−１８２７６７
【発明の開示】
【発明が解決しようとする課題】
【０００６】  本発明は、慣行設備をそのまま使用して、どのような施設に設置しても同形同膜厚の空気層を形成する骨支柱となる二重膜形成チューブダクトとそのチューブダクトを膨縮して骨支柱形成と無支柱形を繰り返す機構を提案し、慣行開閉機具を用いて室温調節開閉できる二重膜を提供するものである。
【課題を解決するための手段】
【０００７】  以上の課題を解決するために、第一の発明は、骨形成チューブダクト（以下骨チューブと略称）の形状発明である。適当な肉厚の適当な耐候剤を適量混入したものもある適当な合成樹脂製の適当な位置にチューブ内面から外面に貫通した適当な合成樹脂製の送風口とそれより適当に広口径の排気口と適当な不織布を適当に固着又は後着したものもある左右両端のいずれか又は両端が溶着又は適当に密閉した形状であって、その両端末長手方向延長上には単厚合成樹脂製フイルムを適当な長さ設けた両端幅が狭く中央部が適当に幅広の二重膜骨形成チューブダクトを提供する。骨チューブの両端末長手方向延長上に単厚合成樹脂製フイルムを適当な長さ設けた両端幅が狭く中央部が幅広形状にすると以下の課題が解決できる。骨チューブが膨らむとその断面が折幅の二倍の円周を有す円になり、両端面固定位置が円の半径の高さになり、骨チューブへの送風圧が高い程チューブ固定位置にかかる負荷が大きくなり強化した固定具が必要になる問題や骨チューブ端面折幅が小さいと円の半径も低くなり、その低くなった先端に適当な長さの単厚フイルムを設けると骨チューブを上下に挟んで設けた適当な二重膜構成フイルムへの固定負荷がチューブ形態での固定に比べて非常に小さくなり、強く固定するために生じる固定具によって起こる骨チューブフイルムの薄化又は小さい傷のチューブの膨らみ圧により常時生じる引っ張り圧による破れ孔の拡大による骨チューブ内の空気漏れ発生問題が解決でき、更に骨チューブ設置位置調節が容易で便利である。チューブ面を直接巻き上げパイプに取り付けるとその膨らみで、最大骨チューブの膨らみ厚の半分まで巻き上げパイプが持ち上がり、その結果骨チューブ二重膜形成による側端面に隙間ができ被覆二重膜内の暖かい空気が膜外に流出して保温性が低下する課題があったが、骨チューブ端末の膨らみ厚が小さくその先端に単厚フイルムが取り付けてあると、巻き上げパイプ固定場面でのフイルム重なり部分が単純な三枚重ね状態となり、持ち上がらなくなり二重膜形成による保温性低下問題が解決できる。両端の折幅が狭く、長手方向中央を広くした形状にしているので骨チューブが膨らむとその断面が山形形状の骨形成ができる。この結果、ハウスの屋根内面から落下する結露水が両端裾に流れ落ち、作物を栽培していない膜外や通路に落下して結露水落下による栽培作物への害を及ぼすことなく、二重膜上面フイルム上に溜まらなくなり、結露水が溜まることを起因とする内張りカーテン開閉蛇行や結露水の重みによる空気膜層の欠落や装置の開閉停止等の課題が解決でき使用安全信頼性の高い二重膜になる。この骨チューブを用いると膨らみ端末から緩やかな傾斜を有す膨らみ形成ができ、内張り被覆場面では、上下被覆フイルムの長手方向両端裾固定を適当な間隔固定であっても骨チューブ直接固定のような膨らみ高負荷がかからないのでフイルム端面の重なりがその重みで容易に形成でき、隙間の少ない保温性の高い二重膜内空気移動の小さい空間を形成するのでより安定した保温性向上が図れ好ましい。骨チューブの上下に被覆する二重膜フイルムは、保温性能の高いフイルムを被覆したもの程暖房燃料節約が高なる傾向が強く、被覆フイルムとしては好適で���る。外張り天窓換気設置ハウスの二重膜固定場面に使用すると、同折幅の骨チューブを用いた方式や二枚重ねフイルムの中間に空気を送風する方式を使用すると、天窓換気装置が上下する側端位置下に被覆した空気膜の膨らみで深い被覆溝ができ、雪や雨がこの位置に溜まり、開閉によるハウス内落下の問題があったが、溝形成も慣行フイルム並になり傾斜適当に緩く長いので雨や雪が裾面に流れ安全使用課題が解決できる。谷面及び側面巻上げ換気場面に用いると空気層形成が端面から緩傾斜になるので、雪や雨が骨チューブ固定位置で溜まることがなく、慣行並みの設備提供ができる。更に、妻面両端部被覆している下面固定重ね代フイルムの上に骨チューブを設けた二重膜フイルムを被覆しその上に適当な農ＰＯフイルムを補強ネット代わりに被覆すれば、チューブの膨らみでハウス内に隙間風が入らなくなり、一重被覆より機密性が高く強風に耐える施設を提供でき、慣行設備以上の安全性を有す設備を提供することができる。被覆骨チューブは被覆フイルムと同等の耐候剤が混入されていれば、被覆フイルム交換時に同時交換の対応でよく、二重膜使用途中交換の必要がなく、現在４シーズン継続使用の実績があり、長期安全使用に適しており望ましい。傾斜のある内張りカーテン使用場面では低傾斜位置に結露水が溜まることがあり、骨チューブ内から膜外に貫通した不織布を設けておくとその毛管水で膜外に排出でき事前に設置していれば未然に結露水の溜まりを防ぐことができる。特に送風口に取り付けた給排気管の周囲に不織布を設けると、給排気管内に逆流する結露水が膜外に流出するので、送風機をいためることがなく、結露水が溜まることによって起こる慣行開閉装置の故障課題も解決でき望ましい。【０００８】  第二の発明は骨チューブの取り付け位置に関する。農業用ハウスの外張り又は内張り支柱又はスライド移動する金属ワイヤー又は合成樹脂製ロープ上に被覆した二重膜下面農業フイルムの上面真直上に、使用場面の状況に応じて１．２から５メートル間隔に設ける構成を提供した。この構成にすると以下の課題が解決できる。
支柱上に骨チューブを設けると、膨らんだ骨チューブは底面が硬い支柱上に載った状態にになり、骨チューブの膨らみでの骨チューブの適度な長さ縮みによって長手方向への引っ張り強度が増した状態になり、横ずれしにくい形態での支柱上存在となり、支柱上に断面山形形状形成した骨チューブになり、下面に被覆した二重膜フイルムを骨チューブの膨らみ圧で円弧形に押し下げることなく、支柱の形状と同形状になり、支柱と支柱の中間に位置する場面に起こる骨チューブの膨らみ圧での二重膜構成下面フイルムが円弧状に支柱内側に低くなる課題が解決できる。この結果、空気層厚が設置場所による下面高さ不揃い課題と低くなった下面フイルム内面を伝って流れる結露水の低位集中による問題も解決できる。骨チューブの設置間隔を外張り場面では２から５メートルで取り付けると被覆フイルムの四方を強く引っ張って固定被覆するので、上面フイルムフイルムが弛まずに被覆できハウスの骨支柱に沿った骨チューブの膨らみ厚を有す二重被覆空気膜が形成でき２から５メートル間隔での被覆で、ハウスの骨支柱傾斜に沿った形態の二重被覆空気膜を作ることができるので見た目の安心性が高く、ハウス設計強度を大きく逸脱しない安全性の高い被覆を提供できる。内張り場面では１．２から２メートルの間隔に骨チューブを設置すると二重膜上面フイルムの骨チューブと骨チューブの中間がフイルムの自重によるたるみ下がり少なく、空気膜層の高さ保形ができ、一定厚の空気層が確保できるので、各種形態の異なるハウスで二重膜を作っても同厚高同形の空気層を有す二重膜が形成でき美観を備え、便利であり、空気膜層へこみによる保温性能低下課題と結露水溜り課題が解決できる。【０００９】  第三の発明は骨チューブの膨縮構成に関する。第二発明記載要領で設置した第一発明記載の骨チューブは直接又は送風口を通じて適当な金属製又は合成樹脂製の給排気管に貫通直結し形態で、その延長は適当な送風機に直結しており、給排気管の適当な位置に設けた適当な通気方向変換弁付分岐管で分岐した給排気管に適当な吸引機を設け送風排気を同一給排気管で行う構成、又は排気口に給排気管の断面積より適当に広断面積を有す適当な開閉蓋付排気管又は電磁弁付排気管を設け送風排気を分離した構成もある骨チューブの膨縮で随時骨支柱を自在形成する構成を提供し以下の課題を解決する。
給排気管を骨チューブに直接又は送風口を通して貫通して設けると、給排気管を通しての送風が送風口の通風断面積不足による送風抵抗増加を起こすことなく骨チューブに送風できるので骨チューブの設計内圧低下や膨らみに要す時間増の問題が解決できる。骨チューブは送風機と吸引機が給排気管を通じて連結しているので、給排気管に設けた通気方向変換弁の切り替えで送風と排気が同一の給排気管で、通気空気が周りにもれることなく効率よく、送風機、吸引機の性能通り随時発揮できる効用があり、単純計算した時間での膨らみと単純計算した排気が実現でき、慣行の自動開閉機に連動した構成課題が解決できる。給排気管は収縮に耐え、送風、排気ロスの少ない蛇腹形状管又は自在に曲がる適当な金属管を設置するのが望ましい。
次に排気口に送風口の断面積より適当に広断面積の電動開閉蓋付排気管又は電磁弁付排気管を骨チューブの排気口に設けると、骨チューブに送風した空気が排気時、送風した時間より短時間で排気でき、排気時間短縮課題を解決できる。送風時は電動開閉蓋付排気管の蓋を閉じておくと骨チューブが膨らみ、空気層を構成する骨形成を行い、送風停止時電動開閉蓋付排気管の蓋又は電磁弁付の排気管を開口すると適当数設けた排気管の蓋が一気に開き排気開始を行うので、給排気管と同断面積の排気管を用いれば、ひとつの骨チューブに送風した時間で排気でき、断面積が大きくなればその比率に応じて排気時間は短縮でき、国内の慣行仕様のハウスであれば計算上３分以内に自然排気でき、慣行自動開閉装置にも手動開閉装置のいずれにも対応できる開閉二重膜課題が解決できる。特に巻上げ開閉に用いれば送風停止で瞬時に骨チューブ内空気が排出でき、慣行フイルムと遜色ない負荷での開閉が実現できる。【００１０】  第四の発明は、骨チューブ二重膜の高性能化に関する。第一、第二、第三の発明で提供した骨チューブ二重膜フイルムの上に骨チューブと農業用フイルムを重ねて三重被覆する構成を提供すると以下の課題が解決できる。
外張り二重被覆空気膜被覆よる全被覆期間全光線透過が下がる課題、例えば９０パーント透過するフイルムを二重被覆すると８１パーセントに透過率が低下する。この課題は外張り二重被覆では、１００パーセント近い光線透過率を有すフイルムの二重被覆で埃や煤煙の付着が起こらない条件がないと解決しない程難しい。この課題解決には、外張りは慣行一重被覆で、内張りを三重膜にし、空気層を上下にダブル設けた構成にすると外張り二重膜、内張り二重膜に匹敵する空気層構成ができ、上下に接触したダブル空気層構成になるので層内熱移動が極めて小さく、光を透し慣行一重被覆カーテンの半分程度の暖房節油効果を有す開閉できる内張りカーテンを提供できる。この三重膜構成は、暖房油節約フイルムとしては現時点で最も高保温性能の慣行一重被覆より夜間室温を３度強高く保持する性能の空気膜フイルムで、慣行外張り一重被覆に使用して内外二重被覆並みの性能を有す空気膜提供ができ、外張り二重被覆による光線透過低下課題を解決しての高暖房節油施設の提供ができる。
【発明の効果】
【００１１】  本発明の効果を以下箇条書きで説明する。
１．二重膜層が使用場面に拘らず、同形状同厚高になる。
２．骨チューブの膨らみで二重膜層形成支柱ができ、骨チューブ内空気の排気で二重膜が重ね状態になり、慣行開閉装置や巻き上げ開閉機器で室温調節できる。
３．二重膜層形成時間、二重膜層排気時間が単純計算で算出でき、慣行自動開閉装置に対応できる形態である。
４．二重膜内及び上面及び下面の結露水処理ができ、慣行設備や栽培作物へ悪影響及ぼさない。
【産業上の利用可能性】
【００１１】  本発明は、特許公開２０１１−１８２７６７流水二重膜カーテンの骨チューブの膨らみによる下面フイルムの押し下がりへこみ位置への流水集中によるフイルム表面水膜濡れ面積減少による保温性能低下課題と流水排水端末の流水貯まり課題が解決でき、併用利用すれば特に望ましい。
【図面の簡単な説明】
【００１２】
【図１】骨チューブの各種形態詳細説明図である。１．両端不織布係止フイルム付中央幅広山形形状の中央位置に送風口と排気口を固着した骨チューブの平面図である。（実証例２）  ２．両端係止フイルム付中央幅広山形形状送風口一体骨チューブの平面図である。（実証例１、４）  ３．送風口と両端係止フイルム付中央幅広チューブ形状送風口一体骨チューブの平面図である。４．両端係止フイルム付片端送風案内チューブ固着中央幅広チューブ形状骨チューブの平面図である。５．両端不織布係止フイルム付中央幅広形状の中央胴面位置に送風口と排気口固着骨チューブの平面図である。（実証例５）  ６．両端係止フイルム付中央幅広台形形状の両端に不織布と送風口を設けた骨チューブの平面図である。（実証例１、３）
【図２】内張りアーチ支柱に図１の１骨チューブ設置で二重膜膨らみ形成した幅方向断面説明図である。（実証例４）
【図３】ハウス谷面巻上げ換気場面で図１の６の骨チューブを設置で二重膜を膨らみ形成した幅方向断面説明図である。（実証例３）
【図４】平張りスライド開閉装置に図１の２の骨チューブを設置して二重膜を膨らみ形成した幅方向断面説明図である。（実証例４）
【図５】内張りアーチ支柱に図１の５の骨チューブを三重被覆に設置して膨らみ形成した幅方向断面説明図である。（実証例５）
【符号の説明】
【００１３】１．中央幅広骨チューブ
２．骨チューブ係止フイルム
３．不織布
４．溶着面
５．送風口
６．支柱
７．排気口
８．開閉蓋付排気管
９．二重膜外張りフイルム
１０．二重膜内張りフイルム
１１．送風機
１２．吸引機
１３．給排気管
１４．給排気支管
１５．灌水チューブ
１６．送水管
１７．通気方向変換弁
１８．巻き上げ開閉パイプ
１９．巻き上げ開閉器具
２０．流水排水溝
２１．スライド開閉具
２２．骨チューブ通気直接取付け開口部
２３．フイルムパッカー
２４．フイルム固定スプリング
２５．スプグング填め込み固定具
２６．スライド移動ワイヤー
２７．スライド移動ワイヤー二重膜フイルム固定具
【発明を実施するための形態】
【００１４】適当に二枚重ねした農業用フイルムの中間に中央幅広の骨チューブを設け、施工場面では骨チューブ下に適当な内張りカーテン支柱又はスライド開閉するワイヤーを配し、骨チューブの膨らみで空気層を形成し、骨チューブに設けた排気口の開口又は適当な吸引機で骨チューブ内の空気を脱気して二枚重ねした農業用フイルムを二枚重ね形状に戻し、慣行内張りカーテン開閉機器で開閉できる形態を提供する。
【実証例１】
【００１５】  図１の骨チューブの形状を参照にして、以下実施例を説明する。
両端に長さ２０センチの骨チューブ係止フイルムを溶着した、両端面の折幅が１５センチの中央部に向けて５０センチ中央寄りに折幅４５センチで全長４メートルの底面が平らの台形形状の骨チューブと片端に長さ２０センチもう一方の片端に５０センチの係止フイルムを溶着した両端面の折幅が１５センチの中央部向けて１５０センチ中央寄りに折幅５０センチで全長４メートルの底面が平らで山頂５０センチの図１の２の山形形状骨チューブを試作し、折幅４０センチで全長４．４メートルのチューブダクトと骨チューブを各々３本準備し、１メートルの高さに農業用パイプを組んで比較実験を行った。骨チューブに送風する送風機は、１分間あたりの最大風量２．２立方メートル、最大静圧３２０パスカルを用いた。この送風機に４０ミリの塩ビ管を直結して設け、その先端を各々の骨チューブに差込膨らみ形状を目視した。この結果、図１の６の台形状の骨チューブは横から見ると最大の高さ２８．５センチの底面が平らで全長４．３５メートルの両端長さ５０センチの傾斜を持つ台形形状になり、膨らみの影響で底辺長が５センチ短くなった。山形形骨チューブは山頂の長さ１００センチ高さ３１．５センチで両裾に向かって１．７メートルと２メートルの長さを有す全長４．６５メートルの山形形状になり、膨らみで底面長が５センチ短くなった。チューブ形状では、高さ２５．５センチ、長さ３．８５メートルの中央断面楕円形状になり、膨らむことにより１４．５センチ短くなった。各骨チューブの上下に７５ミクロン厚の農ＰＯフイルムを被覆して両端をパッカーで５０センチピッチに固定し、各骨チューブを１．５、１．８、２、２．５、３メートル間隔に設置し、骨チューブに空気を送風して空気層形成状態を調査した結果、２メートル以下であれば、上面被覆フイルムの重みでの垂れ下がりは、最大５センチ程度で空気層形成ができ、２メートル以上では、上下フイルムが接触して空気層形成ができない場面がいくらか見られたので、設置間隔の上限を２メートルとした。骨チューブの設置間隔は短いほど垂れ下がりが少ない傾向が見られ、設置間隔が１．５メートル以下であればほとんど低下しない結果であった。又この場面で骨チューブを設置した下にロープと支柱に使用する１９ミリ径の鉄パイプを設けた結果、いずれの骨チューブもロープ又は支柱より膨らんだ骨チューブが低位置にならず、空気層の高さ形成が膨らみ厚になった。折幅４０センチの骨チューブを設置した場面のみが、上下面被覆フイルムが強く引っ張られ、パッカー止め位置で隙間ができる場面と強く引っ張られるために膨らみ全体が低くなり上面フイルムが骨チューブに巻きつくようになり空気層容積が小さくなった。台形及び山形形状の骨チューブでは、幅面には適度な引っ張り圧が二重膜フイルムにかかり、骨チューブに適度な密着をし、膨らみ厚に影響を与えない程度の状態ができたので、膨らみで形成できる空気層がフイルムを被覆した状態でできることが確認できた。下面フイルムは骨チューブの下に設けたロープや支柱に使用する１９ミリ径の鉄パイプ押し下げることなくロープや支柱上に存在するので、骨チューブの膨らみで起こる下面フイルムの骨チューブに沿った円弧状の押し下がりがなくなるので、下面フイルムに内面結露水の集合要因除去課題は解決できるものとした。山形形状にした二重膜にその上より灌水チューブで灌水し、水の溜まり具合を観察した結果、上面フイルムよりすべて流れ落ちることが確認でき、平張り被覆した二重膜での結露水溜まり問題は解決できることが実験上確認できた。
【実証例２】
【００１６】  図２のアーチ支柱形状内張りカーテン使用場面断面図を参照にして、以下実施例を説明する。７５ミクロン厚の農ＰＯフイルム製の両端面に不織布を挟んで溶着した折幅２０センチで、両端末より５０センチ中央寄りに折幅４５センチを有す全長８．４メートルの骨チューブで、その両端末に７５ミクロン厚の農ＰＯフイルムで幅２０センチ長さ２５センチの係止フイルムを設け、骨チューブの中央位置にチューブ内面に貫通した折径１０センチのチューブ形状の送風口と折径１５センチのチューブ形状の排気口を設けた図１の１の骨チューブを試作し、農業用パイプハウス内の内張りカーテン支柱の中央をパッカー固定して被覆している二重膜下面フイルムの上１．５メートル間隔に、骨チューブの中央が接触するように内張り支柱上に被覆し、その上に二重膜上面フイルムを被覆した。内張りカーテン支柱の中央位置には先端に送風機が直結している合成樹脂製の蛇腹ホースを１．５メートル間隔にチーズで連結してハウスの長さ設けた。送風口にはチーズに設けた３０ミリ径の給排気支管を貫通して骨チューブに取り付けた。送風口位置と排気口位置下の下面フイルムに小孔をあけ、送風口と排気口を内張りカーテン内に取り出し、送風口は３０ミリ径の給排気支管を骨チューブ内面まで貫通して固定し、排気口は、内張りカーテンの長さ設けた電磁弁を電気コードで連結した電磁弁付６０ミリ径の排気管を骨チューブ内面まで貫通直結して固定した。両側端面は、中央にサンドイッチした骨チューブ係止フイルムと上下に二重膜フイルムを三枚重ねて２２ミリ径の巻上げパイプにパッカーで固定した。以上の要領で設置した長さ２７メートルの内張りカーテンに１分間に２．６立方メートルの送風量を有す送風機を用いて送風すると約５分で骨チューブが平均空気層厚２５センチ程度の膨らみを持つ二重膜ができた。この空気層形成空気は妻面二重膜被覆位置の隙間からと巻上げパイプのパッカー固定していない位置からの空気進入によりおこるものと推定された。送風停止時、電磁弁付弁を開放すると、主に排気管と送風機から瞬時に排気を開始し約１５秒で排気が終了した。巻上げを排気と同時に開始するとその圧力で骨チューブ内の空気が一気に排出できた。排気口を大きくするほど巻上げ負荷は小さく早く排気できる傾向であった。また排気開始後１分程度待ってから排気すると、骨チューブの内空気が大半排気した後なので、巻上げ負荷は一重並みの負荷で排気できることが実証できた。この骨チューブに水５０ＣＣを入れた条件を作った結果、１時間で排水処理が解決できたので、不織布を設けるとアーチ形状の巻上げ方法では結露水問題は解決できる可能性が高いことが確認でき、安全使用に適していると結論した。
【実証例３】
【００１７】  図３のハウス谷面巻上げ開閉二重膜設置場面断面図を参照にして、以下その実施例を説明する。７５ミクロン厚の農ＰＯフイルム製の片端面に不織布を挟んで溶着し、一方の片端面は溶着のみの折幅２０センチで、両端末より５０センチ中央寄りに折幅５０センチを有す全長１．５メートルの骨チューブで、その両端末に７５ミクロン厚の農ＰＯフイルムで幅２０センチ長さ２０センチの係止フイルムを設け、端面溶着のみの骨チューブの端末面周辺にチューブ内面に貫通した折径１０センチの送風口を設けた上面使用形態の図１の６の骨チューブを試作した。この骨チューブを図３断面図の要領で、二重膜下面フイルムを被覆した上に１．５メートル間隔で骨チューブの中央をハウス支柱の上に接するように設けて被覆し、その上に二重膜上面フイルムを被覆し、上面は二重膜フイルムの中間に骨チューブの送風口が設けてある係止フイルムをスプリング填め込みフイルム固定具で固定し、下面は三枚重ねて巻上げパイプにパッカー固定して被覆した。骨チューブの送風口は二重膜下面に小孔をあけて、送風口チューブ取り出し、チーズ分岐した給排気管の蛇腹ホースを貫通して固定した。給排気管は１．５メートメル間隔にチーズを設けて谷換気の長さ延長した蛇腹ホースを設けた。給排気管の蛇腹ホースには通気変換弁付分岐管で分岐した蛇腹ホースで直結した各々１分間に最大２．２立方メートルの送風性能の送風機と１分間に最大０．８立方メートル吸気する性能の掃除機を設け、１０メートルのハウス２棟を用いて実証試験を行った。
その結果、およそ２分の送風で二重膜が形成できた。送風停止後、通気分岐変換弁の通気方向を変えて、掃除機を用いると骨チューブの空気が約８分で吸引でき、二枚重ね状態になり、慣行一重並みの巻上げ開閉に支障のない状態になった。両妻面位置に従来ネットを被覆しての風対策する方法を撤廃して、両妻面に固定張りしてある重ね代フイルム上に骨チューブを上下に挟んだ二重膜を設けた上に１５０ミクロン厚のシングルフイルムを上下にスプリング填め込みフイルム固定具で固定し取り付けると、骨チューブの膨らみで、ハウス妻面からの隙間風が入らなくなり、保温性の低下要因の改良とフイルムのバタツキ防止用の紐が骨チューブの膨らみで張りが強くなり、耐風性が向上する結果になった。
【実証例４】
【００１８】  図４の内張り平張りスライドカーテン設置断面図を参照にして、以下その実施事例を説明する。７５ミクロン厚の農ＰＯで最大折幅５０センチ長手方向両端幅１５センチ長さ２メートルの骨チューブダクトの片端が開口したままで、７５ミクロン厚の農ＰＯ幅１５センチ長さ２０センチの骨チューブ係止フイルムを熱溶着して設け、もう一方の端面は７５ミクロン厚の農ＰＯ幅１５センチ長さ５０センチの係止フイルムと熱溶着した形態で骨チューブ内に貫通した幅１０センチの不織布を表面熱溶着して固着した平張りスライドカーテン用骨チューブを試作し、平張りスライド形式手動カーテンの開閉移動ロープ上（図２の断面図参照）に二重膜下面農業用フイルムを被覆し、その上に試作した図１の２の骨チューブを下面フイルムの幅方向に被覆し、農業用ハウス内張りカーテンの長手方向両端１．５メートル間隔に設けた蛇腹形状の給排気管をチーズで連結し、そのチーズに塩ビ管を給排気支管として設け、その塩ビ管を骨チューブの開口部に直接差し込み開口部を粘着テープと電材結束具で密閉固着した。その上に上面農業フイルムを被覆し、内張りカーテンの両サイドにあるフイルム固定位置に、下面フイルムと係止フイルムと上面フイルムを三枚重ねて固定した。もう一方の側面は左右のフイルムが開閉スライドロープ上に各々三枚重なる形で被覆してあり、ハウス中央で左右のフイルムが４５センチ重なるようにスライドロープに固定した。蛇腹形状の給排気管の延長上には直結した通気変換弁付分岐管があり、その器具で分岐した蛇腹ホースに送風機と掃除機が各々直結してある。その送風機の送風を開始して骨チューブに送風すると中央の重なり部分は中央より両端面に向かって緩やかに傾斜して重なり、特に上面重なりする二重膜のロープ固定位置と下面重なりする二重膜の重なり位置は骨チューブの端末溶着位置付近になり、二重膜傾斜では山裾だが、骨チューブ係止フイルムよりは少し高い位置にあるので、二重膜上面フイルムに落下する結露水はその重なり位置の傾斜を伝ってハウス内面の中央位置に落下する。両側面フイルム固定位置は、山裾になるので結露水は内張り膜外に落下し、二重膜上面フイルムフイルム上に残らないことを確認した。内張り中央部の重なりは適当な長さあり、二重膜フイルムが最も緩傾斜の位置で交差しているので緩密閉度合いが高く、この隙間による保温性低下になる要因は小さいものと考えられ、慣行一重被覆よりも重なり密閉度が高い形態になることも確認できた。９０平方メートルのハウスで実証した結果、１台の送風機を用い５０秒で空気層形成をし、１台の掃除機１分稼動で二枚重ね状態になることを確認した。この結果、単純計算で二重膜形成二枚重ね形成が繰り返しおこなえることを確認し、短時間での実用開閉には、高性能の送風機、吸引機を適当数設ければ、自動化対応できることが推測できた。
【実証例５】
【００１９】  図５の骨チューブ三重膜フイルム二空気層形成場面を参照にして、以下説明する。
両端末に幅２０センチ長さ２０センチの係止フイルムが設けてあり、端末が溶着してある折幅２０センチのチューブ位置から５０センチ長手方向に折幅４５センチに広がる傾斜を左右に有し、中央部は折幅４５センチのチューブ形状で、その中央位置にチューブ内面に貫通した送風口を設けた骨チューブと両端末に幅２０センチ長さ３０センチの係止フイルム設けた骨チューブを二種類、幅が内張りカーテンの内張りカーテンの支柱の長さでその幅が各々２０センチづつ異なり、内張りのカーテンの長さある３枚の農ＰＯフイルム、送風機１台、吸引機１台、給排気管としての蛇腹ホース、巻き上げパイプ、巻き上げ開閉器具、給排気管を分岐するチーズ、フイルムを固定するパッカー、通気方向変換弁付分岐管を準備して、長さ１０．５メートルの７５センチ間隔に内張りカーテン支柱を設けた施設で実証をおこなった。先ず、一番幅の狭い農業用フイルムを内張り支柱の長手方向中央支柱にパッカー固定し、その上に長さ２０センチで係止フイルム付の図１の５の骨チューブを内張りカーテン支柱上に重なるように被覆し、その上に２番目に幅が広い農業用フイルムを被覆し、その上に３０センチの係止フイルム付の骨チューブを２０センチの係止フイルム付骨チューブの真上に重ねて被覆し、その上に一番幅が広い農業用フイルムを被覆し、側面裾に設けた農業用巻上げパイプに骨チューブを設けている場所は５枚重ねてパッカー固定し、その他の場所は３枚重ねてパッカー固定する。送風機、吸引機は図６の要領で、各々蛇腹ホースに直結しており、その先端は通気変換弁付分岐管と直結しており、その分岐管は、１．５メートル間隔にチーズで内張りカーテンの長さ連結した蛇腹ホースと直結しており、チーズの先端に設けた蛇腹ホースは下面フイルムのみ又は中面フイルムと両方に穴を開けて骨チューブの送風口を通して貫通して設け、送風機、吸引機が蛇腹ホースで繋がる構成にして、１分間に２．２立方メートル最大送風量の送風機で送風すると、長さ１０メートル膜層厚５６センチの三重二膜積層が５分で形成できた。送風を停止し、１分間に１立方メートルの性能を有す吸引機に切り替え吸引を開始すると、約１１分で、三枚被覆農業用フイルムが三枚重ね状態になり一重被覆より重いが、手動の巻き上げ開閉できる程度の開閉ができることを実証した。保温性能は夜間平均室温が無加温条件で３度程度高くなる傾向であった。
【手続補正２】
【補正対象書類名】図面
【補正対象項目名】全図
【補正方法】変更
【補正の内容】
【図１−１】
2013162780.tif 000009
【図１−２】
2013162780.tif 000010
【図１−３】
2013162780.tif 000011
【図１−４】
2013162780.tif 000012
【図１−５】
2013162780.tif 000013
【図１−６】
2013162780.tif 000014
【図２】
2013162780.tif 000015
【図３】
2013162780.tif 000016
【図４】
2013162780.tif 000017
【図５】
2013162780.tif 000018